(57)【特許請求の範囲】
【請求項１】
和太鼓の皮張り部分に、環状に構成した調節基部体（３）と、同じく環状に構成した皮張りリング（２）とを重複して配置し、
前記調節基部体（３）と皮張りリング（２）との間で、かつ円周上の数箇所に、調節雄螺子（４）と調節雌螺子（５）とにより構成した皮張調節螺子機構（Ａ）を介装し、
太鼓皮（１）を前記皮張りリング（２）の外面に当てて、該皮張りリング（２）の内側にばちによる叩き面を、前記調節基部体（３）の周囲に太鼓皮（１）の裾部を固定することにより構成した和太鼓の音質調整装置において、
前記環状に構成した皮張りリング（２）は、パイプを折り曲げて溶接した構成とし、
前記環状に構成した調節基部体（３）は、Ｌ型アングル材を折り曲げて構成することにより、外周側アングル面（３ａ）と内周側アングル面（３ｂ）とを有し、
前記調節基部体（３）の外周側アングル面（３ａ）に、太鼓皮（１）の裾部を接触させて固定するとともに、
前記調節基部体（３）の内周側アングル面（３ｂ）に溶接固定した筒状体（９）に、前記皮張調節螺子機構（Ａ）を支持させ、
該皮張調節螺子機構（Ａ）の調節雄螺子（４）又は調節雌螺子（５）のいずれか一方を回転操作することにより、前記調節基部体（３）に対する前記皮張りリング（２）の位置を調整可能に構成した
ことを特徴とする和太鼓の音質調整装置。
【請求項２】
前記調節基部体（３）の外周側アングル面（３ａ）に裾部を接触させて固定する太鼓皮（１）は、該太鼓皮（１）の外周に環状のフラットバー（６）を接当させて、該フラットバー（６）をリベッター釘（１０）にて前記調節基部体（３）の外周側アングル面（３ａ）に固定することにより、前記調節基部体（３）の周囲に固定されることを特徴とする請求項１記載の和太鼓の音質調整装置。
【発明の詳細な説明】
【０００１】
【発明の属する技術分野】
本発明は、楽器として演奏される和太鼓の皮張りにより、音質を調整する機構を提供するものである。
【０００２】
【従来の技術】
和太鼓は、１本の大木をくり抜いて、乾かした牛の皮を張り付け、張った牛側の表面を、木製のばちで叩いて音を出している。牛の皮は、まだ新しい張り立ての頃は、皮を強く張っているので、音質としては甲高い音質を出している。しかし、叩き込んで、使い込むうちに、和太鼓の皮は、木製の胴との間に馴染みが良くなり、丁度良い重低音の音質を発するようになるのである。
【０００３】
【発明が解決しようとする課題】
しかし、重低音の良い音は、長続きがせず、初期の皮の張り状態は無くなり、皮が緩み状態となり、ぼてぼての音がするようになるのである。このように緩んだ状態となると、皮固定鋲を抜いて、皮を締め直す必要があるのである。また、太鼓皮は外気の湿度に微妙に反応し、皮の張りが弱くなったり、強くなったりするのである。その為に、何時でも、和太鼓の重低音を維持していくということは、なかなか困難なのである。本発明は、和太鼓の皮張り調整による音質調整が簡単に出来るように、皮張調節螺子機構を具備させたものである。
【０００４】
【課題を解決するための手段】
本発明の解決しようとする課題は以上の如くであり、次に該課題を解決する為の手段を説明する。
【０００５】
請求項１においては、和太鼓の皮張り部分に、環状に構成した調節基部体（３）と、同じく環状に構成した皮張りリング（２）とを重複して配置し、前記調節基部体（３）と皮張りリング（２）との間で、かつ円周上の数箇所に、調節雄螺子（４）と調節雌螺子（５）とにより構成した皮張調節螺子機構（Ａ）を介装し、太鼓皮（１）を前記皮張りリング（２）の外面に当てて、該皮張りリング（２）の内側にばちによる叩き面を、前記調節基部体（３）の周囲に太鼓皮（１）の裾部を固定することにより構成した和太鼓の音質調整装置において、前記環状に構成した皮張りリング（２）は、パイプを折り曲げて溶接した構成とし、前記環状に構成した調節基部体（３）は、Ｌ型アングル材を折り曲げて構成することにより、外周側アングル面（３ａ）と内周側アングル面（３ｂ）とを有し、前記調節基部体（３）の外周側アングル面（３ａ）に、太鼓皮（１）の裾部を接触させて固定するとともに、前記調節基部体（３）の内周側アングル面（３ｂ）に溶接固定した筒状体（９）に、前記皮張調節螺子機構（Ａ）を支持させ、該皮張調節螺子機構（Ａ）の調節雄螺子（４）又は調節雌螺子（５）のいずれか一方を回転操作することにより、前記調節基部体（３）に対する前記皮張りリング（２）の位置を調整可能に構成したものである。
【０００６】
請求項２においては、前記調節基部体（３）の外周側アングル面（３ａ）に裾部を接触させて固定する太鼓皮（１）は、該太鼓皮（１）の外周に環状のフラットバー（６）を接当させて、該フラットバー（６）をリベッター釘（１０）にて前記調節基部体（３）の外周側アングル面（３ａ）に固定することにより、前記調節基部体（３）の周囲に固定されるものである。
【０００７】
【発明の実施の形態】
次に、本発明の実施の形態を説明する。図１は本発明の和太鼓の音質調整装置を具備した木製の胴８付きの和太鼓の側面一部断面図、図２は皮張調節螺子機構Ａの構成を示す断面図、図３は皮張調節螺子機構Ａの部分において、太鼓皮１と皮張りリング２と調節基部体３と調節雄螺子４の部分を分解した状態の俯瞰図、図４は木製の胴８の両側から皮張調節螺子機構Ａを具備した太鼓皮１の部分を装着する状態を示す斜視図、図５は右側の皮張調節螺子機構Ａの部分のみを装着した状態の斜視図、図６は、両側の皮張調節螺子機構Ａを取り付けた後で、木製の胴８の内部に人が入り、調節雄螺子４又は調節雌螺子５をスパナで回して、音質を調整しようとする斜視図、図７は、平面太鼓Ｔに皮張調節螺子機構Ａを装着した状態の断面図、図８は平面太鼓Ｔの全体を示す側面図、図９は縦面太鼓Ｓの断面図、図１０は縦面太鼓Ｓの全体図である。
【０００８】
図１においては、木製の胴８と太鼓皮１と皮張調節螺子機構Ａにより構成した標準的な和太鼓の側面図と一部断面図を図示している。該図１と図３の構成においては、次に説明をする図２のように、外周側アングル面３ａの外周にフラットバー６とリベッター釘１０による固定を行わずに、太鼓皮１の裾部分をそのまま木製の胴８の外周に皮固定鋲７により固定した構成を図示している。図１と図３の場合には、木製の胴８が中脹れ状でラグビーボール状に構成されており、調節基部体３の外周側アングル面３ａが傾斜面の無い円弧状に構成されているので、フラットバー６とリベッター釘１０による固定部分を省略しているのである。しかし、外周側アングル面３ａの部分をラグビーボール状の形状に合うような、傾斜面に構成すれば、フラットバー６とリベッター釘１０による固定も出来るのである。
【０００９】
図２においては、木製の胴８が直筒状で、外周側アングル面３ａも直筒状の構成を図示している。この場合には、外周側アングル面３ａと木製の胴８の外周とが同じく直筒状の洋太鼓状に構成されているので、フラットバー６とリベッター釘１０による太鼓皮１の固定と、木製の胴８の外周への皮固定鋲７による固定の両方が可能となっている。皮張りリング２と内周側アングル面３ｂとの間に、調節雄螺子４と調節雌螺子５により構成した皮張調節螺子機構Ａが構成されている。該皮張調節螺子機構Ａは、内周側アングル面３ｂの部分に筒状体９を溶接固定しており、該筒状体９の内部に調節雄螺子４が嵌入可能としている。調節雄螺子４を太鼓皮１に固定して、調節雌螺子５と筒状体９を別体として、調節雌螺子５をスパナで回転して調節雄螺子４の位置を調整する構成としても良いし、筒状体９と調節雌螺子５を固定状態として、皮張りリング２と調節雄螺子４を別体として、調節雄螺子４を回転して、皮張りリング２を動かしても良いものである。
【００１０】
調節雄螺子４又は調節雌螺子５をスパナで回転して皮張りリング２と調節基部体３との間の間隔を調整することにより、リベッター釘１０又は皮固定鋲７により裾部を固定された太鼓皮１が、皮張りリング２の内側で緊張されるのである。  図４と図５と図６においては、木製の胴８の両側に太鼓皮１・１を張りつけた、スタンダードな和太鼓の構成を図示している。この場合には、皮張調節螺子機構Ａが木製の胴８の内側に配置されることとなるので、太鼓皮１・１を木製の胴８に張った状態での音質の調整が困難となるのである。このような場合に、図６に示す如く、木製の胴８に開閉扉１５を設けて、音質調整者１６が和太鼓の中に入り、前述の如く、調節雄螺子４又は調節雌螺子５をスパナで調整するのである。
【００１１】
本発明において、内周側アングル面３ｂと皮張りリング２の間に構成される調節雄螺子４と調節雌螺子５の皮張調節螺子機構Ａは、円周上の数箇所に構成しており、全周を均一に調節する必要がある。図３に示す如く、皮張りリング２はパイプを環状に折り曲げて溶接した構成としており、調節基部体３はアングル部材を環状に折り曲げて、構成している。
【００１２】
図７と図８においては、木製の胴８を具備していない団扇太鼓状の平面太鼓Ｔに、皮張調節螺子機構Ａを装着した状態を図示している。この場合には、共鳴箱を構成する木製の胴８の部分が設けられていないので、和太鼓の音質としては、更に太鼓皮１の張り具合が問題となるのである。しかし、この場合には、木製の胴８の部分が設けられていないので、平面太鼓支持体１２の部分の下方から、音質調整者１６が入って調節雄螺子４または調節雌螺子５を回転して調整することが出来るのである。
【００１３】
図９と図１０においては、団扇和太鼓を縦に配置した縦面太鼓Ｓの構成において、皮張調節螺子機構Ａを配置した実施例が図示されている。この場合にも、共鳴箱としての木製の胴８が付いていないので、太鼓皮１の張り具合が大事であり、皮張調節螺子機構Ａにより自由に張り具合を調節して音質を調整することが音質の向上において効果を発揮するのである。
【００１４】
【発明の効果】
本発明は以上の如く構成したので、次のような効果を奏するものである。
請求項１の如く、和太鼓の皮張り部分に、環状に構成した調節基部体（３）と、同じく環状に構成した皮張りリング（２）とを重複して配置し、前記調節基部体（３）と皮張りリング（２）との間で、かつ円周上の数箇所に、調節雄螺子（４）と調節雌螺子（５）とにより構成した皮張調節螺子機構（Ａ）を介装し、太鼓皮（１）を前記皮張りリング（２）の外面に当てて、該皮張りリング（２）の内側にばちによる叩き面を、前記調節基部体（３）の周囲に太鼓皮（１）の裾部を固定することにより構成した和太鼓の音質調整装置において、前記環状に構成した皮張りリング（２）は、パイプを折り曲げて溶接した構成とし、前記環状に構成した調節基部体（３）は、Ｌ型アングル材を折り曲げて構成することにより、外周側アングル面（３ａ）と内周側アングル面（３ｂ）とを有し、前記調節基部体（３）の外周側アングル面（３ａ）に、太鼓皮（１）の裾部を接触させて固定するとともに、前記調節基部体（３）の内周側アングル面（３ｂ）に溶接固定した筒状体（９）に、前記皮張調節螺子機構（Ａ）を支持させ、該皮張調節螺子機構（Ａ）の調節雄螺子（４）又は調節雌螺子（５）のいずれか一方を回転操作することにより、前記調節基部体（３）に対する前記皮張りリング（２）の位置を調整可能に構成したので、太鼓皮（１）の張り具合を調節することにより、音質を造り立てのように良好な音質に保つことが出来るのである。
また、スパナにより調節雄螺子（４）又は調節雌螺子（５）を回転するだけで簡単に、太鼓皮（１）の張り具合を調節することができ、調節において高度な治具を必要としないで、簡単に調節出来るようになったのである。
また、皮張調節螺子機構Ａの機構に関して、低コストで有効な調節機構を構成することが出来たのである。
【００１５】
請求項２の如く、前記調節基部体（３）の外周側アングル面（３ａ）に裾部を接触させて固定する太鼓皮（１）は、該太鼓皮（１）の外周に環状のフラットバー（６）を接当させて、該フラットバー（６）をリベッター釘（１０）にて前記調節基部体（３）の外周側アングル面（３ａ）に固定することにより、前記調節基部体（３）の周囲に固定されるので、まず調節基部体（３）と太鼓皮（１）とを係止することができ、皮張調節螺子機構（Ａ）の構成を簡略化することが出来たのである。
【図面の簡単な説明】
【図１】  本発明の和太鼓の音質調整装置を具備した木製の胴８付きの和太鼓の側面一部断面図。
【図２】  皮張調節螺子機構Ａの構成を示す断面図。
【図３】  皮張調節螺子機構Ａの部分において、太鼓皮１と皮張りリング２と調節基部体３と調節雄螺子４の部分を分解した状態の俯瞰図。
【図４】  木製の胴８の両側から皮張調節螺子機構Ａを具備した太鼓皮１の部分を装着する状態を示す斜視図。
【図５】  右側の皮張調節螺子機構Ａの部分のみを装着した状態の斜視図。
【図６】  両側の皮張調節螺子機構Ａを取り付けた後で、木製の胴８の内部に人が入り、調節雄螺子４又は調節雌螺子５をスパナで回して、音質を調整しようとする斜視図。
【図７】  平面太鼓Ｔに皮張調節螺子機構Ａを装着した状態の断面図。
【図８】  平面太鼓Ｔの全体を示す側面図。
【図９】  縦面太鼓Ｓの断面図。
【図１０】  縦面太鼓Ｓの全体図。
【符号の説明】
Ａ  皮張調節螺子機構
Ｔ  平面太鼓
Ｓ  縦面太鼓
１  太鼓皮
２  皮張りリング
３  調節基部体
３ａ  外周側アングル面
３ｂ  内周側アングル面
４  調節雄螺子
５  調節雌螺子
６  フラットバー
７  皮固定鋲
８  木製の胴
９  筒状体
１０  リベッター釘
１２  平面太鼓支持体
１４  縦面太鼓支持体
１５  開閉扉
１６  音質調整者
【図１】
0004648522.tif 000002
【図２】
0004648522.tif 000003
【図３】
0004648522.tif 000004
【図４】
0004648522.tif 000005
【図５】
0004648522.tif 000006
【図６】
0004648522.tif 000007
【図７】
0004648522.tif 000008
【図８】
0004648522.tif 000009
【図９】
0004648522.tif 000010
【図１０】
0004648522.tif 000011